(57)【要約】【課題】スタンバイ時の消費電力を小さくすることが可能な電子機器およびテレビジョン装置を提供する。【解決手段】この液晶テレビジョン装置１（電子機器）は、１次側に配置され、１００Ｖの電圧が供給される１次側電源回路１１１と、１次側電源回路１１１から出力される電圧を２次側の電圧に変換する電源トランス１３と、２次側に配置され、電源トランス１３から出力される２次側の３Ｖの電圧が入力される２次側電源回路１２１と、１次側に配置され、リモコン２からの赤外線キャリアを受信する１次側リモコン受光部１１２と、２次側に配置され、スタンバイ時の制御を行うスタンバイマイコン１２２とを備え、１次側に配置された１次側リモコン受光部１１２がスタンバイ時に赤外線キャリアを受信したことに基づいて、２次側に配置されたスタンバイマイコン１２２が起動されるように構成されている。【選択図】図２
2012256962.tif 000002
【特許請求の範囲】
【請求項１】
１次側に配置され、所定の電圧が供給される１次側電源回路と、
前記１次側電源回路から出力される電圧を２次側の電圧に変換する電源トランスと、
前記２次側に配置され、前記電源トランスから出力される２次側の電圧が入力される２次側電源回路と、
前記１次側に配置され、リモコンからの操作信号を受信する第１リモコン受信部と、
前記２次側に配置され、スタンバイ時の制御を行うスタンバイ用制御部とを備え、
前記１次側に配置された前記第１リモコン受信部がスタンバイ時に前記操作信号を受信したことに基づいて、前記２次側に配置された前記スタンバイ用制御部が起動されるように構成されている、電子機器。
【請求項２】
前記スタンバイ用制御部は、スタンバイ時に前記第１リモコン受信部が前記操作信号を受信したことに基づいて起動されて前記操作信号が前記電子機器を起動させるための信号であるか否かを判断するとともに、前記電子機器を起動させるための信号であると判断した場合にスタンバイ状態から前記電子機器を起動させる制御を行うように構成されている、請求項１に記載の電子機器。
【請求項３】
前記１次側電源回路は、スタンバイ時に前記第１リモコン受信部が前記操作信号を受信したことに基づいて起動され、
前記スタンバイ用制御部は、スタンバイ時に前記第１リモコン受信部が前記操作信号を受信したことに基づいて前記１次側電源回路および前記電源トランスを介して前記２次側電源回路から電力が供給されることにより起動されるとともに、前記操作信号が前記電子機器を起動させるための信号である場合に前記２次側電源回路から電力を供給させてスタンバイ状態から前記電子機器を起動させる制御を行うように構成されている、請求項１または２に記載の電子機器。
【請求項４】
通常動作時の制御を行う通常動作用制御部をさらに備え、
前記２次側電源回路は、第１電源回路と、第２電源回路とを含み、
前記スタンバイ用制御部は、スタンバイ時に前記第１リモコン受信部が前記操作信号を受信したことに基づいて前記第１電源回路から電力が供給されて起動されるとともに、前記操作信号が前記電子機器を起動させるための信号である場合に前記第２電源回路から電力を供給させて前記通常動作用制御部を起動させる制御を行うように構成されている、請求項３に記載の電子機器。
【請求項５】
前記スタンバイ用制御部は、スタンバイ時に前記第１リモコン受信部が前記操作信号を受信したことに基づいて起動されて前記操作信号が前記電子機器を起動させるための信号であるか否かを判断するとともに、前記電子機器を起動させるための信号ではないと判断した場合に前記１次側電源回路を停止する制御を行うことによって、停止するように構成されている、請求項１〜４のいずれか１項に記載の電子機器。
【請求項６】
前記２次側に配置され、前記操作信号を受信する第２リモコン受信部をさらに備え、
前記第２リモコン受信部は、スタンバイ時に前記第１リモコン受信部が前記操作信号を受信したことに基づいて起動され、
前記スタンバイ用制御部は、スタンバイ時に前記第１リモコン受信部が前記操作信号を受信したことに基づいて起動されるとともに、前記第２リモコン受信部が受信した前記操作信号が前記電子機器を起動させるための信号である場合に前記電子機器を起動させる制御を行うように構成されている、請求項１〜５のいずれか１項に記載の電子機器。
【請求項７】
前記スタンバイ用制御部は、スタンバイ時に前記第１リモコン受信部が前記操作信号を受信したことに基づいて起動されるとともに、前記第１リモコン受信部が受信した前記操作信号が前記電子機器を起動させるための信号である場合に前記電子機器を起動させる制御を行うように構成されている、請求項１〜５のいずれか１項に記載の電子機器。
【請求項８】
テレビジョン放送信号を受信するチューナと、
前記チューナにより受信されたテレビジョン放送を表示する表示部と、
１次側に配置され、所定の電圧が供給される１次側電源回路と、
前記１次側電源回路から出力される電圧を２次側の電圧に変換する電源トランスと、
前記２次側に配置され、前記電源トランスから出力される２次側の電圧が入力される２次側電源回路と、
前記１次側に配置され、リモコンからの操作信号を受信する第１リモコン受信部と、
前記２次側に配置され、スタンバイ時の制御を行うスタンバイ用制御部とを備え、
前記１次側に配置された前記第１リモコン受信部がスタンバイ時に前記操作信号を受信したことに基づいて、前記２次側に配置された前記スタンバイ用制御部が起動されるように構成されている、テレビジョン装置。
【発明の詳細な説明】
【技術分野】
【０００１】
この発明は、電子機器およびテレビジョン装置に関し、特に、リモコン受信部を備える電子機器およびテレビジョン装置に関する。
【背景技術】
【０００２】
従来、リモコン受信部を備える電子機器が知られている（たとえば、特許文献１参照）。
【０００３】
上記特許文献１には、リモコンからの赤外線（操作信号）を受光（受信）するリモコン受光部（リモコン受信部）と、スタンバイ時の制御を行うマイコン（スタンバイ用制御部）とを備える電子機器が開示されている。この電子機器では、マイコンは、リモコンからの赤外線の信号を判断するためにスタンバイ時も起動している。
【先行技術文献】
【特許文献】
【０００４】
【特許文献１】特開２００３−９２５５号公報
【発明の概要】
【発明が解決しようとする課題】
【０００５】
しかしながら、上記特許文献１の電子機器では、マイコン（スタンバイ用制御部）をスタンバイ時にも起動させる必要があるので、マイコンの電力消費がスタンバイ時に生じるという不都合がある。このため、スタンバイ時の消費電力をより小さくすることが困難であるという問題点がある。
【０００６】
この発明は、上記のような課題を解決するためになされたものであり、この発明の１つの目的は、スタンバイ時の消費電力をより小さくすることが可能な電子機器およびテレビジョン装置を提供することである。
【課題を解決するための手段および発明の効果】
【０００７】
この発明の第１の局面による電子機器は、１次側に配置され、所定の電圧が供給される１次側電源回路と、１次側電源回路から出力される電圧を２次側の電圧に変換する電源トランスと、２次側に配置され、電源トランスから出力される２次側の電圧が入力される２次側電源回路と、１次側に配置され、リモコンからの操作信号を受信する第１リモコン受信部と、２次側に配置され、スタンバイ時の制御を行うスタンバイ用制御部とを備え、１次側に配置された第１リモコン受信部がスタンバイ時に操作信号を受信したことに基づいて、２次側に配置されたスタンバイ用制御部が起動されるように構成されている。
【０００８】
この第１の局面による電子機器では、１次側に配置された第１リモコン受信部がスタンバイ時に操作信号を受信したことに基づいて、２次側に配置されたスタンバイ用制御部が起動されるように構成することによって、スタンバイ時にスタンバイ用制御部を起動させていない状態でも第１リモコン受信部により操作信号が受信された場合に自動的にスタンバイ用制御部が起動される。これにより、スタンバイ時にスタンバイ用制御部を起動させておく必要がない分、スタンバイ時の消費電力をより小さくすることができる。また、スタンバイ時に２次側に配置されたスタンバイ用制御部を停止させておくことができるので、２次側に電力を供給するための２次側電源回路を停止させておくことができる。これにより、スタンバイ時に電源トランスにより電圧を変換する必要がないので、電源トランスを動作させることによる電力消費の発生を抑制することができる。これによっても、スタンバイ時の消費電力をより小さくすることができる。
【０００９】
この第１の局面による電子機器において、好ましくは、スタンバイ用制御部は、スタンバイ時に第１リモコン受信部が操作信号を受信したことに基づいて起動されて操作信号が電子機器を起動させるための信号であるか否かを判断するとともに、電子機器を起動させるための信号であると判断した場合にスタンバイ状態から電子機器を起動させる制御を行うように構成されている。このように構成すれば、スタンバイ時に第１リモコン受信部が電子機器を起動させるための信号を受信した場合にスタンバイ用制御部により確実に電子機器を起動させることができる。
【００１０】
この第１の局面による電子機器において、好ましくは、１次側電源回路は、スタンバイ時に第１リモコン受信部が操作信号を受信したことに基づいて起動され、スタンバイ用制御部は、スタンバイ時に第１リモコン受信部が操作信号を受信したことに基づいて１次側電源回路および電源トランスを介して２次側電源回路から電力が供給されることにより起動されるとともに、操作信号が電子機器を起動させるための信号である場合に２次側電源回路から電力を供給させてスタンバイ状態から電子機器を起動させる制御を行うように構成されている。このように構成すれば、スタンバイ時に１次側電源回路を停止させることができるので、その分スタンバイ時の消費電力をさらに小さくすることができる。また、電子機器を起動させるための信号を受信するまで２次側電源回路から電力を供給しないで電子機器をスタンバイ状態にしておくことができるので、その分スタンバイ時の消費電力をさらに小さくすることができる。
【００１１】
この場合、好ましくは、通常動作時の制御を行う通常動作用制御部をさらに備え、２次側電源回路は、第１電源回路と、第２電源回路とを含み、スタンバイ用制御部は、スタンバイ時に第１リモコン受信部が操作信号を受信したことに基づいて第１電源回路から電力が供給されて起動されるとともに、操作信号が電子機器を起動させるための信号である場合に第２電源回路から電力を供給させて通常動作用制御部を起動させる制御を行うように構成されている。このように構成すれば、スタンバイ時に通常動作用制御部を停止させることができるので、その分スタンバイ時の消費電力をさらに小さくすることができる。また、電子機器を起動させるための信号を受信するまで２次側の第２電源回路を停止させることができるので、その分スタンバイ時の消費電力をさらに小さくすることができる。
【００１２】
この第１の局面による電子機器において、好ましくは、スタンバイ用制御部は、スタンバイ時に第１リモコン受信部が操作信号を受信したことに基づいて起動されて操作信号が電子機器を起動させるための信号であるか否かを判断するとともに、電子機器を起動させるための信号ではないと判断した場合に１次側電源回路を停止する制御を行うことによって、停止するように構成されている。このように構成すれば、受信した操作信号が電子機器を起動させるための信号ではない場合に１次側電源回路およびスタンバイ用制御部を停止させることができるので、その分スタンバイ時の消費電力を小さくすることができる。
【００１３】
この第１の局面による電子機器において、好ましくは、２次側に配置され、操作信号を受信する第２リモコン受信部をさらに備え、第２リモコン受信部は、スタンバイ時に第１リモコン受信部が操作信号を受信したことに基づいて起動され、スタンバイ用制御部は、スタンバイ時に第１リモコン受信部が操作信号を受信したことに基づいて起動されるとともに、第２リモコン受信部が受信した操作信号が電子機器を起動させるための信号である場合に電子機器を起動させる制御を行うように構成されている。このように構成すれば、スタンバイ用制御部および第２リモコン受信部が同じ２次側に配置されるので、スタンバイ用制御部および第２リモコン受信部の間で操作信号を容易に送受信することができる。
【００１４】
この第１の局面による電子機器において、好ましくは、スタンバイ用制御部は、スタンバイ時に第１リモコン受信部が操作信号を受信したことに基づいて起動されるとともに、第１リモコン受信部が受信した操作信号が電子機器を起動させるための信号である場合に電子機器を起動させる制御を行うように構成されている。このように構成すれば、スタンバイ用制御部を起動させるための信号を受信する受信部と電子機器を起動させるための信号を受信する受信部とを共通化することができるので、受信部を複数設ける必要がない。
【００１５】
この発明の第２の局面によるテレビジョン装置は、テレビジョン放送信号を受信するチューナと、チューナにより受信されたテレビジョン放送を表示する表示部と、１次側に配置され、所定の電圧が供給される１次側電源回路と、１次側電源回路から出力される電圧を２次側の電圧に変換する電源トランスと、２次側に配置され、電源トランスから出力される２次側の電圧が入力される２次側電源回路と、１次側に配置され、リモコンからの操作信号を受信する第１リモコン受信部と、２次側に配置され、スタンバイ時の制御を行うスタンバイ用制御部とを備え、１次側に配置された第１リモコン受信部がスタンバイ時に操作信号を受信したことに基づいて、２次側に配置されたスタンバイ用制御部が起動されるように構成されている。
【００１６】
この第２の局面によるテレビジョン装置では、１次側に配置された第１リモコン受信部がスタンバイ時に操作信号を受信したことに基づいて、２次側に配置されたスタンバイ用制御部が起動されるように構成することによって、スタンバイ時にスタンバイ用制御部を起動させていない状態でも第１リモコン受信部により操作信号が受信された場合に自動的にスタンバイ用制御部が起動される。これにより、スタンバイ時にスタンバイ用制御部を起動させておく必要がない分、スタンバイ時の消費電力をより小さくすることができる。また、スタンバイ時に２次側に配置されたスタンバイ用制御部を停止させておくことができるので、２次側に電力を供給するための２次側電源回路を停止させておくことができる。これにより、スタンバイ時に電源トランスにより電圧を変換する必要がないので、電源トランスを動作させることによる電力消費の発生を抑制することができる。これによっても、スタンバイ時の消費電力をより小さくすることができる。このような効果は、特に、省電力が望まれるテレビジョン装置において有効である。
【図面の簡単な説明】
【００１７】
【図１】本発明の第１実施形態による液晶テレビジョン装置の概略図である。
【図２】本発明の第１実施形態による液晶テレビジョン装置の構成を示したブロック図である。
【図３】本発明の第１実施形態による液晶テレビジョン装置の起動動作を説明するためのタイミングチャートである。
【図４】本発明の第１実施形態による液晶テレビジョン装置のスタンバイマイコンによる電源制御処理を説明するためのフローチャートである。
【図５】本発明の第２実施形態による液晶テレビジョン装置の概略図である。
【図６】本発明の第２実施形態による液晶テレビジョン装置の構成を示したブロック図である。
【図７】本発明の第２実施形態による液晶テレビジョン装置の起動動作を説明するためのタイミングチャートである。
【図８】本発明の第２実施形態による液晶テレビジョン装置のスタンバイマイコンによる電源制御処理を説明するためのフローチャートである。
【発明を実施するための形態】
【００１８】
以下、本発明の実施形態を図面に基づいて説明する。
【００１９】
（第１実施形態）
まず、図１および図２を参照して、本発明の第１実施形態による液晶テレビジョン装置１の構成について説明する。なお、液晶テレビジョン装置１は、本発明の「電子機器」および「テレビジョン装置」の一例である。
【００２０】
本発明の第１実施形態による液晶テレビジョン装置１は、リモコン２（図１参照）により操作可能に構成されている。
【００２１】
液晶テレビジョン装置１は、図２に示すように、１次側回路１１と、２次側回路１２と、電源トランス１３と、ホトカプラ１４とを備えている。１次側回路１１は、１次側電源回路１１１と、１次側赤外線受光部１１２とを含んでいる。２次側回路１２は、２次側電源回路１２１と、スタンバイマイコン１２２と、メインマイコン１２３と、２次側赤外線受光部１２４と、チューナ１２５と、表示部１２６と、スピーカ１２７とを含んでいる。なお、１次側赤外線受光部１１２および２次側赤外線受光部１２４は、それぞれ、本発明の「第１リモコン受信部」および「第２リモコン受信部」の一例である。また、スタンバイマイコン１２２およびメインマイコン１２３は、それぞれ、本発明の「スタンバイ用制御部」および「通常動作用制御部」の一例である。
【００２２】
１次側電源回路１１１は、ＡＣ電源３に接続され１００Ｖの電圧を入力可能に構成されている。また、１次側電源回路１１１は、電源トランス１３に１００Ｖの電圧を供給可能に構成されている。また、１次側電源回路１１１は、１次側赤外線受光部１１２から送信される後述するキャリア検出信号により起動するように構成されている。また、１次側電源回路１１１は、ホトカプラ１４を介したスタンバイマイコン１２２から送信される停止信号により停止するように構成されている。
【００２３】
１次側赤外線受光部１１２は、赤外線受光素子１１２ａと、キャリア検出回路１１２ｂとを有している。また、１次側赤外線受光部１１２は、ＡＣ電源３から直接電力が供給されて起動している。赤外線受光素子１１２ａは、リモコン２からの赤外線キャリアを受信可能に構成されている。キャリア検出回路１１２ｂは、赤外線受光素子１１２ａが受信した赤外線キャリアを検出可能に構成されている。具体的には、キャリア検出回路１１２ｂは、３８ｋＨｚの周波数で変調している赤外線キャリアを検出可能に構成されている。また、キャリア検出回路１１２ｂは、赤外線キャリアを検出した場合にキャリア検出信号を１次側電源回路１１１に送信するように構成されている。なお、赤外線キャリアは、本発明の「操作信号」の一例である。
【００２４】
２次側電源回路１２１は、スタンバイ電源１２１ａと、主電源１２１ｂとを有している。また、スタンバイ電源１２１ａは、電源トランス１３に接続されて電源トランス１３により変圧された３Ｖの電圧が入力可能に構成されている。また、スタンバイ電源１２１ａは、電源トランス１３から３Ｖの電圧が入力された場合に自動的に起動してスタンバイマイコン１２２および２次側赤外線受光部１２４に３Ｖの電圧を供給するように構成されている。また、スタンバイ電源１２１ａは、電源トランス１３からの電圧の供給が停止した場合に停止するように構成されている。主電源１２１ｂは、電源トランス１３に接続されて電源トランス１３により変圧された３Ｖの電圧が入力可能に構成されている。また、主電源１２１ｂは、スタンバイマイコン１２２から送信される後述する主電源起動信号により起動してメインマイコン１２３に３Ｖの電圧を供給するように構成されている。また、主電源１２１ｂは、電源トランス１３からの電圧の供給が停止した場合に停止するように構成されている。なお、スタンバイ電源１２１ａおよび主電源１２１ｂは、それぞれ、本発明の「第１電源回路」および「第２電源回路」の一例である。
【００２５】
スタンバイマイコン１２２は、スタンバイ電源１２１ａから３Ｖの電圧が供給された場合に起動するように構成されている。また、スタンバイマイコン１２２は、スタンバイ電源１２１ａからの電圧の供給が停止した場合に停止するように構成されている。また、スタンバイマイコン１２２は、２次側赤外線受光部１２４が受信した赤外線キャリアに含まれるリモコンコードを判定可能に構成されている。また、スタンバイマイコン１２２は、液晶テレビジョン装置１のスタンバイ時の制御を行うように構成されている。具体的には、スタンバイマイコン１２２は、ホトカプラ１４を介して１次側電源回路１１１を停止させるための停止信号を送信可能に構成されている。また、スタンバイマイコン１２２は、主電源１２１ｂを起動させるための主電源起動信号を送信可能に構成されている。
【００２６】
メインマイコン１２３は、映像処理部１２３ａと、音声処理部１２３ｂとを有している。また、メインマイコン１２３は、主電源１２１ｂから３Ｖの電圧が供給された場合に起動するように構成されている。また、メインマイコン１２３は、液晶テレビジョン装置１の通常動作時の制御を行うように構成されている。具体的には、映像処理部１２３ａは、チューナ１２５が受信したテレビジョン放送信号の処理を行い表示部１２６に映像を表示させるように構成されている。音声処理部１２３ｂは、チューナが受信したテレビジョン放送信号の処理を行いスピーカに音声を出力させるように構成されている。
【００２７】
２次側赤外線受光部１２４は、赤外線受光素子１２４ａと、キャリア検出回路１２４ｂとを有している。また、２次側赤外線受光部１２４は、スタンバイ電源１２１ａから３Ｖの電圧が供給された場合に起動するように構成されている。また、２次側赤外線受光部１２４は、スタンバイ電源１２１ａからの電圧の供給が停止した場合に停止するように構成されている。赤外線受光素子１２４ａは、リモコン２からの赤外線キャリアを受信可能に構成されている。キャリア検出回路１２４ｂは、赤外線受光素子１２４ａが受信した赤外線キャリアを検出可能に構成されている。また、キャリア検出回路１２４ｂは、検出した赤外線キャリアに基づく信号をスタンバイマイコン１２２に送信可能に構成されている。
【００２８】
チューナ１２５は、テレビジョン放送信号を受信可能に構成されている。表示部１２６は、チューナ１２５により受信されたテレビジョン放送の映像を表示可能に構成されている。スピーカ１２７は、チューナ１２５により受信されたテレビジョン放送の音声を出力可能に構成されている。
【００２９】
電源トランス１３は、１次側電源回路１１１から出力される１００Ｖの電圧を２次側電源回路１２１に入力される３Ｖの電圧に変換可能に構成されている。
【００３０】
ホトカプラ１４は、スタンバイマイコン１２２からの信号を１次側電源回路１１１に伝達可能に構成されている。具体的には、スタンバイマイコン１２２から入力された電気信号を光に変換して１次側電源回路１１１に伝達可能に構成されている。
【００３１】
リモコン２は、図１に示すように、赤外線送信部２１と、操作ボタン２２とを主に備えている。赤外線送信部２１は、液晶テレビジョン装置１に赤外線キャリアを送信可能に構成されている。操作部ボタン２２は、電源ボタン２２ａと、選局ボタン２２ｂとを含んでいる。また、リモコン２は、ユーザにより電源ボタン２２ａが押下された場合に赤外線送信部２１から液晶テレビジョン装置１を起動するためのリモコンコードを含む赤外線キャリアを出力するように構成されている。なお、リモコン２は、ユーザにより選局ボタン２２ｂが押下された場合にも赤外線送信部２１から液晶テレビジョン装置１を起動するためのリモコンコードを含む赤外線キャリアを出力するように構成されていてもよい。
【００３２】
次に、図３および図４を参照して、液晶テレビジョン装置１が起動する際の処理について説明する。
【００３３】
ユーザによりリモコン２の操作ボタン２２が操作されると赤外線送信部２１から赤外線キャリアが出力される。ここでは、ユーザにより０．５秒間（５００ｍｓ間）（図３参照）リモコン２の操作ボタン２２が押下された場合の例について説明する。出力された赤外線キャリアは、１次側赤外線受光部１１２の赤外線受光素子１１２ａにより受信される。そして、赤外線キャリアの出力が開始されてから５０ｍｓ後に、キャリア検出回路１１２ｂにより、赤外線キャリアが検出される。赤外線キャリアを検出したキャリア検出回路１１２ｂにより、１次側電源回路１１１にキャリア検出信号が出力される。１次側電源回路１１１がキャリア検出信号を受信することにより起動される。起動された１次側電源回路１１１から出力された電圧は、電源トランス１３により電圧が１００Ｖから３Ｖに変換されてスタンバイ電源１２１ａに供給される。そして、キャリア検出回路１１２ｂにより赤外線キャリアが検出されてから１００ｍｓ後にスタンバイ電源１２１ａが起動される。
【００３４】
起動されたスタンバイ電源１２１ａから出力された電圧は、スタンバイマイコン１２２に供給される。そして、スタンバイ電源１２１ａが起動されてから１００ｍｓ後にスタンバイマイコン１２２が起動される。これに並行して、起動されたスタンバイ電源１２１ａから出力された電圧は、２次側赤外線受光部１２４に供給されて２次側赤外線受光部１２４が起動される。また、リモコン２から出力された赤外線キャリアは、２次側赤外線受光部１２４の赤外線受光素子１２４ａに受信される。キャリア検出回路１２４ｂにより、検出された赤外線キャリアに基づく信号がスタンバイマイコン１２２に送信される。そして、スタンバイマイコン１２２が起動されてから１０ｍｓ後に、スタンバイマイコン１２２により、２次側赤外線受光部１２４のキャリア検出回路１２４ｂから出力された赤外線キャリアに含まれるリモコンコードの判定が開始される。判定されたリモコンコードが液晶テレビジョン装置１を起動させるためのリモコンコードであれば（ユーザにより電源ボタン２２ａが押下されていれば）、スタンバイマイコン１２２により、主電源１２１ｂに主電源起動信号が送信される。そして、リモコンコードの判定が開始されてから２００ｍｓ後に、主電源１２１ｂが起動される。これにより、主電源１２１ｂからメインマイコン１２３に電圧が供給されてメインマイコン１２３が起動される。つまり、液晶テレビジョン装置１がスタンバイ状態から起動される。また、メインマイコン１２３起動後のリモコン２から出力された赤外線キャリアは２次側赤外線受光部１２４により受信してメインマイコン１２３により操作制御が行われる。
【００３５】
次に、液晶テレビジョン装置１のスタンバイマイコン１２２が行う電源制御の処理について説明する。
【００３６】
スタンバイマイコン１２２が起動されると、図４のステップＳ１において、スタンバイマイコン１２２は、リモコンコードを判定する。具体的には、スタンバイマイコン１２２は、２次側赤外線受光部１２４から受信したリモコンコードがテレビジョン装置１を起動させるためのリモコンコードであるか否かを判断する。ステップＳ２において、スタンバイマイコン１２２は、受信したリモコンコードがテレビジョン装置１を起動させるためのリモコンコードである場合は、ステップＳ３に進み、主電源１２１ｂを起動させる制御を行い、電源制御の処理を終了する。これにより、主電源１２１ｂからメインマイコン１２３に電圧が供給されてメインマイコン１２３が起動され、液晶テレビジョン装置１がスタンバイ状態から起動される。一方、受信したリモコンコードがテレビジョン装置１を起動させるためのリモコンコードでない場合は、ステップＳ４に進み、１次側電源回路１１１を停止させる制御を行い電源制御の処理を終了する。これにより、１次側電源回路１１１から電源トランス１３を介してスタンバイ電源１２１ａに供給される電圧が停止されるので、スタンバイマイコン１２２および２次側赤外線受光部１２４が停止される。
【００３７】
第１実施形態では、上記のように、１次側に配置された１次側赤外線受光部１１２がスタンバイ時に赤外線キャリアを受信したことに基づいて、２次側に配置されたスタンバイマイコン１２２が起動されるように構成することによって、スタンバイ時にスタンバイマイコン１２２を起動させていない状態でも１次側赤外線受光部１１２により赤外線キャリアが受信された場合に自動的にスタンバイマイコン１２２が起動される。これにより、スタンバイ時にスタンバイマイコン１２２を起動させておく必要がない分、スタンバイ時の消費電力をより小さくすることができる。また、スタンバイ時に２次側に配置されたスタンバイマイコン１２２を停止させておくことができるので、２次側に電力を供給するための２次側電源回路１２１を停止させておくことができる。これにより、スタンバイ時に電源トランス１３により電圧を変換する必要がないので、電源トランス１３を動作させることによる電力消費の発生を抑制することができる。これによっても、スタンバイ時の消費電力をより小さくすることができる。このような効果は、特に、省電力が望まれる液晶テレビジョン装置１において有効である。
【００３８】
また、第１実施形態では、スタンバイマイコン１２２を、スタンバイ時に１次側赤外線受光部１１２が赤外線キャリアを受信したことに基づいて起動されて赤外線キャリアに含まれるリモコンコードが液晶テレビジョン装置１を起動させるためのリモコンコードであるか否かを判断するとともに、液晶テレビジョン装置１を起動させるためのリモコンコードであると判断した場合にスタンバイ状態から液晶テレビジョン装置１を起動させる制御を行うように構成することによって、スタンバイ時に１次側赤外線受光部１１２が液晶テレビジョン装置１を起動させるためのリモコンコードを含む赤外線キャリアを受信した場合にスタンバイマイコン１２２により確実に液晶テレビジョン装置１を起動させることができる。
【００３９】
また、第１実施形態では、１次側電源回路１１１を、スタンバイ時に１次側赤外線受光部１１２が赤外線キャリアを受信したことに基づいて起動するように構成し、スタンバイマイコン１２２を、スタンバイ時に１次側赤外線受光部１１２が赤外線キャリアを受信したことに基づいて１次側電源回路１１１および電源トランス１３を介して２次側電源回路１２１から電力が供給されることにより起動されるとともに、赤外線キャリアに含まれるリモコンコードが液晶テレビジョン装置１を起動させるためのリモコンコードである場合に２次側電源回路１２１から電力を供給させてスタンバイ状態から液晶テレビジョン装置１を起動させる制御を行うように構成することによって、スタンバイ時に１次側電源回路１１１を停止させることができるので、その分スタンバイ時の消費電力をさらに小さくすることができる。また、液晶テレビジョン装置１を起動させるためのリモコンコードを含む赤外線キャリアを受信するまで２次側電源回路１２１から電力を供給しないで液晶テレビジョン装置１をスタンバイ状態にしておくことができるので、その分スタンバイ時の消費電力をさらに小さくすることができる。
【００４０】
また、第１実施形態では、２次側電源回路１２１に、スタンバイ電源１２１ａと、主電源１２１ｂとを設け、スタンバイマイコン１２２を、スタンバイ時に１次側赤外線受光部１１２が赤外線キャリアを受信したことに基づいてスタンバイ電源１２１ａから電力が供給されて起動されるとともに、赤外線キャリアに含まれるリモコンコードが液晶テレビジョン装置１を起動させるためのリモコンコードである場合に主電源１２１ｂから電力を供給させてメインマイコン１２３を起動させる制御を行うように構成することによって、スタンバイ時にメインマイコン１２３を停止させることができるので、その分スタンバイ時の消費電力をさらに小さくすることができる。また、液晶テレビジョン装置１を起動させるためのリモコンコードを含む赤外線キャリアを受信するまで２次側の主電源１２１ｂを停止させることができるので、その分スタンバイ時の消費電力をさらに小さくすることができる。
【００４１】
また、第１実施形態では、スタンバイ時に１次側赤外線受光部１１２が赤外線キャリアを受信したことに基づいてスタンバイマイコン１２２が起動されて赤外線キャリアに含まれるリモコンコードが液晶テレビジョン装置１を起動させるためのリモコンコードであるか否かを判断するとともに、液晶テレビジョン装置１を起動させるためのリモコンコードではないと判断した場合に１次側電源回路１１１を停止する制御を行うことにより停止するようにスタンバイマイコン１２２を構成することによって、受信した赤外線キャリアに含まれるリモコンコードが液晶テレビジョン装置１を起動させるためのリモコンコードではない場合に１次側電源回路１１１およびスタンバイマイコン１２２を停止させることができるので、その分スタンバイ時の消費電力を小さくすることができる。
【００４２】
また、第１実施形態では、２次側赤外線受光部１２４を、スタンバイ時に１次側赤外線受光部１１２が赤外線キャリアを受信したことに基づいて起動するように構成し、スタンバイマイコン１２２を、スタンバイ時に１次側赤外線受光部１１２が赤外線キャリアを受信したことに基づいて起動されるとともに、２次側赤外線受光部１２４が受信した赤外線キャリアに含まれるリモコンコードが液晶テレビジョン装置１を起動させるためのリモコンコードである場合に液晶テレビジョン装置１を起動させる制御を行うように構成することによって、スタンバイマイコン１２２および２次側赤外線受光部１２４が同じ２次側に配置されるので、スタンバイマイコン１２２および２次側赤外線受光部１２４の間でホトカプラなどを介さずにリモコンコードを容易に送受信することができる。
【００４３】
（第２実施形態）
次に、図５および図６を参照して、本発明の第２実施形態による液晶テレビジョン装置４の構成について説明する。この第２実施形態では、１次側回路および２次側回路の両方に赤外線受光部を設けた上記第１実施形態と異なり、１次側回路にのみ赤外線受光部を設けた液晶テレビジョン装置４について説明する。なお、液晶テレビジョン装置４は、本発明の「電子機器」および「テレビジョン装置」の一例である。
【００４４】
本発明の第２実施形態による液晶テレビジョン装置４は、リモコン２（図５参照）により操作可能に構成されている。
【００４５】
液晶テレビジョン装置４は、図６に示すように、１次側回路４１と、２次側回路４２と、電源トランス４３と、ホトカプラ４４および４５とを備えている。１次側回路４１は、１次側電源回路１１１と、赤外線受光部４１２とを含んでいる。２次側回路４２は、２次側電源回路１２１と、スタンバイマイコン４２２と、メインマイコン１２３と、チューナ１２５と、表示部１２６と、スピーカ１２７とを含んでいる。なお、赤外線受光部４１２は、本発明の「第１リモコン受信部」の一例である。また、スタンバイマイコン４２２およびメインマイコン１２３は、それぞれ、本発明の「スタンバイ用制御部」および「通常動作用制御部」の一例である。
【００４６】
赤外線受光部４１２は、赤外線受光素子４１２ａと、キャリア検出回路４１２ｂとを有している。また、赤外線受光部４１２は、ＡＣ電源３から直接電力が供給されて起動している。赤外線受光素子４１２ａは、リモコン２からの赤外線キャリアを受信可能に構成されている。キャリア検出回路４１２ｂは、赤外線受光素子４１２ａが受信した赤外線キャリアを検出可能に構成されている。具体的には、キャリア検出回路４１２ｂは、３８ｋＨｚの周波数で変調している赤外線キャリアを検出可能に構成されている。また、キャリア検出回路４１２ｂは、赤外線キャリアを検出した場合にキャリア検出信号を１次側電源回路１１１に送信するように構成されている。また、キャリア検出回路４１２ｂは、検出した赤外線キャリアに基づく信号をホトカプラ４５を介してスタンバイマイコン４２２に送信可能に構成されている。なお、赤外線キャリアは、本発明の「操作信号」の一例である。
【００４７】
スタンバイマイコン４２２は、スタンバイ電源１２１ａから３Ｖの電圧が供給された場合に起動するように構成されている。また、スタンバイマイコン４２２は、スタンバイ電源１２１ａからの電圧の供給が停止した場合に停止するように構成されている。また、スタンバイマイコン４２２は、赤外線受光部４１２が受信した赤外線キャリアに含まれるリモコンコードを判定可能に構成されている。また、スタンバイマイコン４２２は、液晶テレビジョン装置４のスタンバイ時の制御を行うように構成されている。具体的には、スタンバイマイコン４２２は、ホトカプラ４４を介して１次側電源回路１１１を停止させるための停止信号を送信可能に構成されている。また、スタンバイマイコン４２２は、主電源１２１ｂを起動させるための主電源起動信号を送信可能に構成されている。
【００４８】
電源トランス４３は、１次側電源回路１１１から出力される１００Ｖの電圧を２次側電源回路１２１に入力される３Ｖの電圧に変換可能に構成されている。
【００４９】
ホトカプラ４４は、スタンバイマイコン４２２からの信号を１次側電源回路１１１に伝達可能に構成されている。具体的には、スタンバイマイコン４２２から入力された電気信号を光に変換して１次側電源回路１１１に伝達可能に構成されている。ホトカプラ４５は、キャリア検出回路４１２ｂからの信号をスタンバイマイコン４２２に伝達可能に構成されている。
【００５０】
次に、図７および図８を参照して、液晶テレビジョン装置４が起動する際の処理について説明する。
【００５１】
ユーザによりリモコン２の操作ボタン２２が操作されると赤外線送信部２１から赤外線キャリアが出力される。ここでは、ユーザにより０．５秒間（５００ｍｓ間）（図７参照）リモコン２の操作ボタン２２が押下された場合の例について説明する。出力された赤外線キャリアは、赤外線受光部４１２の赤外線受光素子４１２ａにより受信される。そして、赤外線キャリアの出力が開始されてから５０ｍｓ後に、キャリア検出回路４１２ｂにより、赤外線キャリアが検出される。赤外線キャリアを検出したキャリア検出回路４１２ｂにより、１次側電源回路１１１にキャリア検出信号が出力される。１次側電源回路１１１がキャリア検出信号を受信することにより起動される。起動された１次側電源回路１１１から出力された電圧は、電源トランス４３により電圧が１００Ｖから３Ｖに変換されてスタンバイ電源１２１ａに供給される。そして、キャリア検出回路４１２ｂにより赤外線キャリアが検出されてから１００ｍｓ後にスタンバイ電源１２１ａが起動される。
【００５２】
起動されたスタンバイ電源１２１ａから出力された電圧は、スタンバイマイコン４２２に供給される。そして、スタンバイ電源１２１ａが起動されてから１００ｍｓ後にスタンバイマイコン４２２が起動される。また、キャリア検出回路４１２ｂにより、検出された赤外線キャリアに基づく信号がスタンバイマイコン４２２に送信される。そして、スタンバイマイコン４２２が起動されてから１０ｍｓ後に、スタンバイマイコン４２２により、赤外線受光部４１２のキャリア検出回路４１２ｂから出力された赤外線キャリアに含まれるリモコンコードの判定が開始される。判定されたリモコンコードが液晶テレビジョン装置４を起動させるためのリモコンコードであれば（ユーザにより電源ボタン２２ａが押下されていれば）、スタンバイマイコン４２２により、主電源１２１ｂに主電源起動信号が送信される。そして、リモコンコードの判定が開始されてから２００ｍｓ後に、主電源１２１ｂが起動される。これにより、主電源１２１ｂからメインマイコン１２３に電圧が供給されてメインマイコン１２３が起動される。つまり、液晶テレビジョン装置４がスタンバイ状態から起動される。
【００５３】
次に、液晶テレビジョン装置４のスタンバイマイコン４２２が行う電源制御の処理について説明する。
【００５４】
スタンバイマイコン４２２が起動されると、図８のステップＳ１１において、スタンバイマイコン４２２は、リモコンコードを判定する。具体的には、スタンバイマイコン４２２は、赤外線受光部４１２から受信したリモコンコードがテレビジョン装置４を起動させるためのリモコンコードであるか否かを判断する。ステップＳ１２において、スタンバイマイコン４２２は、受信したリモコンコードがテレビジョン装置４を起動させるためのリモコンコードである場合は、ステップＳ３に進み、主電源１２１ｂを起動させる制御を行い、電源制御の処理を終了する。これにより、主電源１２１ｂからメインマイコン１２３に電圧が供給されてメインマイコン１２３が起動され、液晶テレビジョン装置４がスタンバイ状態から起動される。一方、受信したリモコンコードがテレビジョン装置４を起動させるためのリモコンコードでない場合は、ステップＳ４に進み、１次側電源回路１１１を停止させる制御を行い電源制御の処理を終了する。これにより、１次側電源回路１１１から電源トランス４３を介してスタンバイ電源１２１ａに供給される電圧が停止されるので、スタンバイマイコン４２２が停止される。
【００５５】
なお、第２実施形態のその他の構成は、上記第１実施形態と同様である。
【００５６】
上記のように、第２実施形態の構成においても、１次側に配置された赤外線受光部４１２がスタンバイ時に赤外線キャリアを受信したことに基づいて、２次側に配置されたスタンバイマイコン４２２が起動されるように構成することによって、上記第１実施形態と同様に、スタンバイ時の消費電力を小さくすることができる。
【００５７】
さらに、第２実施形態では、上記のように、スタンバイマイコン４２２を、スタンバイ時に赤外線受光部４１２が赤外線キャリアを受信したことに基づいて起動されるとともに、赤外線受光部４１２が受信した赤外線キャリアに含まれるリモコンコードが液晶テレビジョン装置４を起動させるためのリモコンコードである場合に液晶テレビジョン装置４を起動させる制御を行うように構成することによって、スタンバイマイコン４２２を起動させるための赤外線キャリアを受信する赤外線受光部と液晶テレビジョン装置４を起動させるため赤外線キャリアを受信する赤外線受光部とを共通化することができるので、赤外線受光部を複数設ける必要がない。
【００５８】
なお、第２実施形態のその他の効果は、上記第１実施形態と同様である。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
たとえば、上記第１および第２実施形態では、本発明の電子機器を液晶テレビジョン装置に適用する例を示したが、本発明はこれに限られない。本発明の電子機器および液晶テレビジョン装置を、液晶テレビジョン装置以外のテレビジョン装置に適用してもよいし、液晶テレビジョン装置以外の電子機器に適用してもよい。たとえば、リモコン受信部を備えるＢＤ（ブルーレイディスク）プレイヤーやレコーダ、セットトップボックスなどに本発明の電子機器を適用してもよいし、リモコン受信部を備えるエアコンやオーディオプレイヤーなどに本発明の電子機器を適用してもよい。
【００６１】
また、上記第１および第２実施形態では、説明の便宜上、スタンバイ用制御部としてのスタンバイマイコンの処理動作を処理フローに沿って順番に処理を行うフロー駆動型のフローチャートを用いて説明したが、本発明はこれに限らない。本発明では、スタンバイ用制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【００６２】
また、上記第１および第２実施形態では、操作信号として赤外線キャリアを用いる例を示したが、本発明はこれに限られない。本発明では、操作信号として電磁波や音波などを用いてもよい。
【００６３】
また、上記第１および第２実施形態では、スタンバイ用制御部（スタンバイマイコン）と通常動作用制御部（メインマイコン）とを別個に設ける構成の例を示したが、本発明はこれに限られない。本発明では、スタンバイ用制御部（スタンバイマイコン）と通常動作用制御部（メインマイコン）とを共通の制御部にする構成であってもよい。
【００６４】
また、上記第１および第２実施形態では、２次側電源回路に、第１電源回路としてのスタンバイ電源と第２電源回路としての主電源とを別個に設ける構成の例を示したが、本発明はこれに限られない。本発明では、第１電源回路と第２電源回路とを共通の２次側電源回路にする構成であってもよい。この場合、通常動作用制御部は、２次側電源回路が起動しただけでは起動せずに、２次側電源回路が起動して、さらに電子機器を起動させるための操作信号を受信した場合にスタンバイ用制御部により制御されてはじめて起動されるように構成されていてもよい。
【符号の説明】
【００６５】
１、４  液晶テレビジョン装置（電子機器）
２  リモコン
１３、４３  電源トランス
１１１  １次側電源回路
１１２  １次側赤外線受光部（第１リモコン受信部）
１２１  ２次側電源回路
１２１ａ  スタンバイ電源（第１電源回路）
１２１ｂ  主電源（第２電源回路）
１２２、４２２  スタンバイマイコン（スタンバイ用制御部）
１２３  メインマイコン（通常動作用制御部）
１２４  ２次側赤外線受光部（第２リモコン受信部）
１２５  チューナ
１２６  表示部
４１２  赤外線受光部（第１リモコン受信部）
【図１】
2012256962.tif 000003
【図２】
2012256962.tif 000004
【図３】
2012256962.tif 000005
【図４】
2012256962.tif 000006
【図５】
2012256962.tif 000007
【図６】
2012256962.tif 000008
【図７】
2012256962.tif 000009
【図８】
2012256962.tif 000010